(57)【要約】      （修正有）【課題】スキンケアや化粧の効率化に顕著な効果を有する肌冷却を、手軽に行うことができる美容ローラーを提供する。【解決手段】把持部材と、該把持部材に対して回転可能に設けられた棒状体のローラー部材とを備え、前記ローラー部材外周に保冷部材を備える。保冷部材や、ローラー部材を把持部材に対して着脱自在とする。【選択図】図１
0003176276.tif 000002
【実用新案登録請求の範囲】
【請求項１】
把持部（２)と、該把持部材(２)に対して回転可能に設けられた棒状体のローラー部材（３）とを備え、前記ローラ部材（３）外周に保冷部材（４）を備えたことことを特徴とする美容ローラー。
【請求項２】
保冷部材（４）を着脱自在とした請求項１記載の美容ローラー。
【請求項３】
ローラー部材（３）を着脱自在とした請求項１又は２に記載の美容ローラー。
【考案の詳細な説明】
【技術分野】
【０００１】
本考案は美容ローラーに関し、より詳しくは、肌の冷却効果を有する美容ローラーに関する。
【背景技術】
【０００２】
顔の表面等の肌に適度な刺激を与えるための、様々な美容ローラー器具が市販されている。これら美容ローラーは、顔など肌の気になる部分に刺激を与えることで、しわ、皮膚のたるみ、肌のつやなどの改善を図るものである。
【０００３】
係る美容ローラーとして、ローラー部材の外表面に微細ダイヤモンド粉を被覆したクーラントローラーが、特開２０１０−１６２３２４号公報に記載されている。蓄冷剤の入った円筒状のローラー部材と、ローラー部材の両端部で該ローラー部材を回転自在に支持するコ字状の支持部材とにより成る美容ローラーが登録実用新案公報第３０４２０８１号に記載されている。
【先行技術文献】
【特許文献】
【０００４】
【特許文献１】特開２０１０−１６２３２４号公報
【特許文献２】登録実用新案公報第３０４２０８１号
【考案の概要】
【考案が解決しようとする課題】
【０００５】
スキンケアの方法として、肌を冷却することが励行されている。肌を冷やすことで血管が一時的に収縮し、その後、常温に戻ったときに血管は拡張する。この繰り返しで血液が次々に送り出され、肌の代謝が活発になり、新陳代謝を促進するからである。
【０００６】
また、冷やすことで細胞が収縮し、肌が引き締まり、毛穴が目立たなくなるという効果も有する。
【０００７】
また、化粧の前に肌を冷却すれば化粧中に汗が出ることを抑制でき、化粧をスムーズに行うことも可能となる。
【０００８】
本考案は、上述のようにスキンケアや化粧の効率化に顕著な効果を有する肌冷却を、手軽に行うことができる美容ローラーを提供することを目的とする。
【課題を解決するための手段】
【０００９】
上記の目的を達成する本考案の構成は次の通りである。
【００１０】
（１）  請求項１に記載の考案は、把持部材と、該把持部材に対して回転可能に設けられた棒状体のローラー部材とを備え、前記ローラー部材外周に保冷部材を備えて構成した。
【００１１】
（２）  請求項２に記載の考案は、請求項１記載の美容ローラーにおいて、保冷部材を着脱自在に構成した。
【００１２】
（３）  請求項３に記載の考案は、請求項１又は２に記載の美容ローラーにおいて、ローラー部材を把持部材に対して着脱自在に構成した。
【考案の効果】
【００１３】
上記のように構成される本考案が、いかにして課題を解決する効果を奏するかを、図面を参照しながら概説する。
【００１４】
図１は本考案に係る美容ローラーを示す斜視図である。把持部材２に対してローラー部材３が回転可能に設けられており、ローラー部材３の外周には保冷部材４が設けてある。
【００１５】
具体的使用方法は、把持部材２を手に持ち、ローラー部材３を肌に沿わせて回転させることで肌の手入れを行うものである。ローラー部材３の外周には保冷部材４が備えてあることから、肌冷却を手軽に行うことが可能となるのである。
【００１６】
請求項２記載の美容ローラーは、保冷部材４が着脱自在に設けられており、請求項３記載の美容ローラーは、ローラー部材３が着脱自在に設けてある。かように構成することで、美容ローラー１全体ではなく、ローラー部材３あるいは保冷部材４のみを冷凍庫の内部等で場所を取らずに、簡易に冷凍することが可能となるのである。
【００１７】
以上のように、本考案に係る美容ローラーは、まず、冷凍室で凍らせてから、手で把持部材材を握り、ローラー部材を肌に沿わせて移動させて使用するものである。かかるケアにより保冷部材が巻回されたローラー部材が、把持部材に対して回転し、肌を冷却して引き締めると共に肌の新陳代謝を促すことになる。また、冷凍室に入れることにより、何度でも冷えた状態で再使用することができるのである。
【図面の簡単な説明】
【００１８】
【図１】本考案の斜視図
【図２】同正面図
【図３】図２におけるＡ−Ａ線断面図
【図４】請求項２記載の考案の構成図
【図５】他の実施例を示す正面図
【考案を実施するための形態】
【００１９】
次に、本考案を実施例に基づいて説明するが、本考案は実施例に限定されるものではない。
【００２０】
本考案に係る美容ローラー１は、片手で持つことができる程度の大きさの把持部材２と、この把持部材２に対して回転可能に設置するローラー部材３と、ローラー部材３の外周に巻回される保冷部材４とにより成るものである。
【００２１】
次に本考案を添付図面に従って詳細に説明する。図２は、本考案に係る美容ローラー１の一例を示す正面図であり、図３はそのＡ−Ａ線に沿った断面図である。
【００２２】
把持部材２は棒状体であり、円柱形状、多角形柱状等、特に形状に限定を受けるものではない。材質も樹脂製、金属製、陶器製等を利用可能であり、特に限定を受けるものではない。
【００２３】
ローラー部材３は、中心に回転軸５を回転自在に取り付けるための貫通孔６を穿孔した円柱形部材である。上記の貫通孔６には、回転軸５が貫通しており、この回転軸５は把持部材２に設けた孔部２ａに嵌装されている。回転軸５の端縁５ａは、貫通孔６の直径よりも大径の円柱形状を呈しており、ローラー部材３が抜け落ちるのを防いでいる。かようにしてローラー部材３は、回転軸５を中心として回転自在なものとなる。
【００２４】
尚、ローラー部材３を回転自在とする方法は、係る手段に限定されるものではなく、ローラー部材と回転軸を一体化し、回転軸をベアリング介して把持部材に嵌装しても良いし、その他任意の手段を採用できる。
【００２５】
請求項３記載の考案においては、回転軸５を把持部材２に対して取り外し自在に設けることで、ローラー部材３を把持部材２に対して着脱自在に設けてある。取り外し自在にする手段は、例えば回転軸５の端部にネジを切り、把持部材２の孔部２ａにネジ溝を設けることで螺装自在とするといった方法、回転軸５の端縁５ａを取り外し自在なキャップにし、キャップを外すことでローラー部材３を着脱自在にするといった方法、その他任意の手段を採用できる。  
【００２６】
ローラー部材３の材質は、樹脂製、金属製、陶器製等を利用可能であり、特に限定を受けるものではない。
【００２７】
保冷部材４は図４に示すように円筒形状を呈する不織布又は樹脂製の袋体であり、中には保冷剤が封入してある。保冷剤としては食品等の腐敗を防ぐために利用される一般的な保冷剤、例えば水と高吸水性樹脂（ポリアクリル酸ナトリウム）、防腐剤、形状安定剤より成るもの等が利用可能である。また、水のみを封入して使用することも可能である。
【００２８】
保冷部材４のローラー部材３への取り付け方法は接着してもよいし、あるいは請求項２記載の考案のように、ローラー部材３に対して着脱自在に設けてもよい。着脱自在にする方法は、保冷部材４を伸縮性を有する袋体にし、ローラー部材３から抜け落ちない程度、かつ、ローラー部材３に対して滑動・回転しない程度に装着するといった方法が好ましい。
【００２９】
図５は本考案の他の実施例を示すものである。把持部材２をローラー部材４に設けた貫通孔６に緩挿し、ローラー部材４を回転自在に装備するものである。ローラー部材４が抜け落ちない様にする手段は、把持部材２の端部に設けたキャップ２ｂ及び、図中ローラー部材３の左端付近に設けた鍔部２ｃにより支持するものであり、キャップ２ｂを取り外せば、ローラー部材３を着脱することが可能となるものである。
【符号の説明】
【００３０】
１・・美容ローラー
２・・把持部材
３・・ローラー部材
４・・保冷部材
５・・回転軸
６・・貫通孔
【図１】
0003176276.tif 000003
【図２】
0003176276.tif 000004
【図３】
0003176276.tif 000005
【図４】
0003176276.tif 000006
【図５】
0003176276.tif 000007